(57)【要約】よりよい経済性を可能にする手法で識別モジュールを作動させることが、本発明の目的である。その目的のため、本発明は、添付の特許請求の範囲で定められるような識別モジュール、識別モジュールを作動させる方法、ネットワーク管理システム、及びコンピュータープログラム製品を提供する。  本発明は、商業エージェント又は販売代理店が彼らの在庫を減らす、彼らの資本の動きを増大させる、及びIMSIコードの利用を増進させることを可能にする。それはまた、加入者がより便利にかつ容易なやり方でSIMカードを購入することを可能にする。【特許請求の範囲】
【請求項１】
通信デバイスのための識別モジュールであって、
初期識別コードを格納するストレージ媒体と、
通信アドレスを受け取り、前記通信アドレスと共に前記初期識別コードを前記通信デバイスを介してネットワーク管理システムに配信し、前記ネットワーク管理システムが前記識別モジュールに割り当てた有効識別コードを備えるメッセージを、前記通信デバイスを介して前記ネットワーク管理システムから受け取り、前記メッセージから前記有効識別コードを抜き出し、今後の使用のために前記有効識別コードを格納するように構成されたプロセッサと、
を備えることを特徴とする識別モジュール。
【請求項２】
前記プロセッサが、前記有効識別コードが今後の使用のために格納された後、前記通信デバイスを再起動するようにさらに構成された、
請求項1記載の識別モジュール。
【請求項３】
前記識別モジュールが、前記通信デバイスを介して双方向音声応答器に呼び出しをもたらすための固定登録簿番号をさらに備え、前記双方向音声応答器は、前記ネットワーク管理システムの一部であり、かつ前記呼び出しから前記初期識別コード及び前記通信アドレスを取り出すように構成されている、
請求項1記載の識別モジュール。
【請求項４】
前記プロセッサは、前記モバイル端末を介してメッセージサービスセンターにメッセージを送るようにさらに構成されていて、前記メッセージサービスセンターは前記ネットワーク管理システムの一部であり、前記メッセージは、前記初期識別コード及び前記通信アドレスを備えている、
請求項1記載の識別モジュール。
【請求項５】
前記識別モジュールがモジュール識別子コードを備え、前記プロセッサは、前記識別コード及び前記通信アドレスに加えて、前記モジュール識別子コードを前記ネットワーク管理システムに配信するようにさらに構成された、
請求項１記載の識別モジュール。
【請求項６】
初期識別コード及び通信アドレスを備える識別モジュールを作動させる方法であって、
前記識別モジュールが、通信デバイスを介してネットワーク管理システムと交信し、これにより前記ネットワーク管理システムが、前記通信アドレスと共に前記初期識別コードを受け取る、第一の起動ステップと、
前記ネットワーク管理システムが、前記通信アドレスと共に前記初期識別コードを認識し、それに応じて、前記識別モジュールに有効識別コードを割り当て、続いて、前記通信デバイスに前記有効識別コードを含むメッセージを送る、第二の起動ステップと、
前記識別モジュールが、前記通信デバイスを介して前記メッセージを受け取り、前記メッセージから前記有効識別コードを抜き出し、今後の使用のために前記有効識別コードを格納する、第三の起動ステップと、
を含むことを特徴とする方法。
【請求項７】
識別モジュールを作動させる方法であって、
カスタマイゼーションセンターが、前記識別モジュール内に初期識別コードを格納し、前記初期識別コードをネットワーク管理システムに伝達する、初期起動ステップと、
配信器が、前記識別モジュールに通信アドレスを割り当て、前記初期識別コードと共に前記通信アドレスを前記ネットワーク管理システムに伝達する、配信ステップと、
前記識別モジュールが、通信デバイスを介して前記ネットワーク管理システムと交信し、これにより前記ネットワーク管理システムが、前記通信アドレスと共に前記初期識別コードを受け取る、第一の起動ステップと、
前記ネットワーク管理システムが、前記通信アドレスと共に前記初期識別コードを認識し、それに応じて、前記識別モジュールに有効識別コードを割り当て、続いて、前記通信デバイスに前記有効識別コードを含むメッセージを送信する、第二の起動ステップと、
前記識別モジュールが、前記通信デバイスを介して前記メッセージを受け取り、前記メッセージから前記有効識別コードを抜き出し、今後の使用のために前記有効識別コードを格納する、第三の起動ステップと、
を含むことを特徴とする方法。
【請求項８】
前記第二の起動ステップにおいて、前記ネットワーク管理システムが、前記識別モジュールに有効キーをさらに割り当て、前記有効キーを前記メッセージ内に含め、前記第三の起動ステップにおいて、前記識別モジュールが、前記メッセージから前記有効キーを抜き出し、今後の使用のために前記有効キーを格納する、
請求項6又は請求項7記載の識別モジュールを作動させる方法。
【請求項９】
初期識別コード及びそれに関連している通信アドレスを備える識別モジュールを作動させるためのネットワーク管理システムであって、前記ネットワーク管理システムは、前記識別モジュール内に含まれる前記初期識別コード及び前記通信アドレスを受け取るように構成されて、前記初期識別コード及び前記通信アドレスを認識し、それに応じて、前記識別モジュールに有効識別コードを割り当て、続いて、前記有効識別コードを含む前記識別モジュールにメッセージを送信し、前記識別モジュールは、前記メッセージから前記有効識別コードを抜き出し、かつ今後の使用のために前記有効識別コードを格納できるようになる、
ことを特徴とするネットワーク管理システム。
【請求項１０】
識別モジュールのためのコンピュータープログラム製品であって、
一連の支持が前記識別モジュール内にロードされるとき、前記識別モジュールが、
通信アドレスを受け取り、
前記識別モジュール内に備えられる初期識別コードと共に前記通信アドレスを、通信デバイスを介してネットワーク管理システムに配信し、
前記ネットワーク管理システムが前記識別モジュールに割り当てた有効識別コードを含むメッセージを、前記通信デバイスを介して前記ネットワーク管理システムから受け取り、
前記メッセージから前記有効識別コードを抜き出して、今後の使用のために前記有効識別コードを格納する、
ことを可能にする前記一連の指示を含むことを特徴とするコンピュータープログラム製品。
【請求項１１】
ネットワーク管理システムのためのコンピュータープログラム製品であって、
一連の指示が前記ネットワーク管理システム内にロードされるとき、前記ネットワーク管理システムが、
前記識別モジュール内に含まれる初期識別コード及び通信アドレスを受け取り、
前記初期識別コード及び前記通信アドレスを認識し、それに応じて、
前記識別モジュールに有効識別コードを割り当て、続いて、
前記有効識別コードを含むメッセージを前記識別モジュールに送り、前記識別モジュールは、前記メッセージから前記有効識別コードを抜き出し、かつ今後の使用のために前記有効識別コードを格納することができるようになる、
ことを可能にする前記一連の指示を含むことを特徴とするコンピュータープログラム製品。
【発明の詳細な説明】
【技術分野】
【０００１】
本発明は、特に通信システムのための識別モジュールを作動させる方法に関するものである。識別モジュールは、例えば、GSMネットワークのようなモバイル通信ネットワークのための、例えば加入者識別モジュール(SIM)カードとすることができる。
【背景技術】
【０００２】
既存のSIMカード割り当て機構では、電話番号(例えば、モバイルステーションISDN(MSISDN)ナンバー、1390XXXXXXX)は、国際モバイルステーション加入者識別子(IMSI)と関連している。SIMカードが、モバイル電話と共に加入者に届けられる前に、電話番号及びIMSIコードがSIMカードに格納される。IMSIコードは、ある特定の地理的ゾーン、及びそのゾーン内の商業エージェントに属するホームロケーションレジスタ(HLR)と相互に関係付けることができる。この相互関係は、いくらかの不都合を招き得る。例えば、ある特定のゾーンのためのSIMカードが在庫を使い切った状態になっているのに対して、他のゾーンでは、利用可能なSIMカードがまだ充分存在していることがある。しかしながら、後者のSIMカードは、IMSIコードのため、SIMカードが在庫を使い切ってしまったゾーンで使用することはできず、これは適切ではない。従って、SIMカードが在庫を使い切ったゾーンにおける商業エージェントは、そのゾーンのための新しいSIMカードを注文し、その配達を待つ以外に選択はない。その間は、在庫切れである。典型的には、商業エージェントは、これを避けようとするであろう。それは、商業エージェントに、相当の規模の在庫を持つよう強要し、これは、かなり大量の資本を要求する。大量の在庫、及びスムーズでない資本の動きは、マイナスの結果となる。さらに、実質上、他の地域の充分に利用されていないSIMカードによるIMSIコードのリソースの浪費が存在する。
【０００３】
(本発明の要約)
よりよい経済性を可能にする手法で識別モジュールを作動させることが、本発明の目的である。
【０００４】
その目的のため、本発明は、添付の特許請求の範囲で定められるような識別モジュール、識別モジュールを作動させる方法、ネットワーク管理システム、及びコンピュータープログラム製品を提供する。
【０００５】
例えば、GSMネットワークシステムでは、本発明は、無線及びSIMカードの起動を可能にする。加入者が新しいSIMカードを購入するとき、本発明に従った方法を使用することにより、無線でIMSIコードをダウンロードすることができ、その後、加入者はスムーズにそのSIMカードを使用することができる。このような本発明に従った無線のSIMカードの起動は、利用可能なSIMカードのIMSIコードについてのHLRゾーンの配信についての制限を取り除くが、これらの制限は既存技術の持ち前のものである。従って、本発明は、商業エージェント又は販売代理店が彼らの在庫を減らす、彼らの資本の動きを増大させる、及びIMSIコードの利用を増進させることを可能にする。それはまた、加入者がより便利にかつ容易なやり方でSIMカードを購入することを可能にする。
【０００６】
本発明のこれら及びその他の側面を、図面を参照して、以下にずっと詳細に説明する。
【０００７】
図１は、本発明に従った無線ネットワークシステム100を示しており、これは、無線SIMカードの起動を可能にする。無線ネットワークシステム100は、SIMカード101、双方向音声応答(IVR)サブシステム102、無線宣言(OTA)サーバー103、ホームロケーションレジスタ/認証センター(HLR/AUC)データベース104、ショートメッセージサービスセンター(SMSC)要素105、SIMカードカスタマイゼーションセンター106、商業エージェント107、販売代理店108、無線ネットワーク109、動作サポートシステム(OSS)ネットワーク110、及び加入者111から構成される。
【０００８】
本発明によるSIMカード101は、広域自動車通信システム(GSM)と関係がある欧州電気通信標準機構(ETSI)で発布される標準に準拠している。とりわけ、SIMカードは、GSM標準でSMS-PPとして知られる無線ダウンロード規格に準拠している。
【０００９】
SIMカード製造所では、初期IMSIコード及び初期キーをSIMカードに割り当てる。加入者111が登録されるとき、初期IMSIコードは、SMSC要素105から受け取られる特別なショートメッセージを用いて、有効IMSIコードで置き換えられる。同様に、初期キーは、有効キーで置き換えられることができる。
【００１０】
IVRサブシステム102は、コールセンターのように作動し、SIMカード101を保持している加入者111からのコールに自動的に応答することができる。MSISDN番号はそのコールから抜き出され、OTAサーバー103に送られて、加入者111が彼のSIMカード101の起動を要求していることを知らせる。
【００１１】
OTAサーバー103は、加入者管理、グループ管理、SIMカードデータファイルの更新、SIMカードプロファイリング管理、マルチSIMカードのベンダーサポート、メッセージトラッキング、使用レポート生成、ショートメッセージの送信/受信(SMS)、及びHLR/AUC加入者データ更新、という様々な機能を提供することができる。例えば、グラフィックユーザーインターフェース(GUI)及びアプリケーションプログラムインターフェース(API)のような一又はそれ以上のインターフェースを通して、これらの機能にアクセスすることができる。OTAサーバー103は、カスタマイズされたSIMカード情報を受け取って、加入者111に双方向無線通信サービスを提供し、かつ有効IMSIコードをSIMカード101に割り当てる。その個別のコンポーネント及び機能を、以下にずっと詳細に説明する。
【００１２】
OTAサーバー103は、商業エージェント107、IVRサブシステム102、及びSMSC要素105からの全ての要求、及びHLR/AUCデータベース104内の適切な加入者のレコードの更新を担っている。
【００１３】
HLR/AUCデータベース104は、GSMで知られる普通のHLR又はAUCの一部とすることができ、加入者データを格納し、かつデータセキュリティ認証を実行する。HLR/AUCデータベース104は、ユーザー名及びパスワードを使用して、異なる権限を持つ加入者を認証し、かつプラットフォームを介して無線ネットワーク109に接続しようとする全ての試行を記録する。全てのパスワードは、暗号化されたフォーマットで格納される。本発明におけるセキュリティプロトコルは、L3セキュリティサポートを持つGSM3.48標準に準拠している。
【００１４】
OTAサーバー103とHLR/AUCデータベース104の間のインターフェースは、TCP/IP接続である。このTCP/IP接続は、例えば、X.25の線、又はシリアル通信ポート、又は直接LAN接続の形であるとすることができる。OTAサーバー103とIVRサブシステム102の間の接続は、OTAサーバー103で定められるTCP/IP接続である。IVRサブシステム102と無線ネットワーク109の間のインターフェースは、音声のために使用され、かつダイヤルアップ送信をサポートする。
【００１５】
OTAサーバー103は、SIMカード101と無線ネットワーク109の間のインターフェースを管理する。この管理は、例えば以下の機能に基づくSIMカード101のプロファイリングを可能にする。
【００１６】
2005520422.tif 000002
【００１７】
OTAサーバー103は、OSSネットワーク110上のTCP/IP接続を通して、商業エージェント107と接続される。OTAサーバー103とSMSC要素105の間のインターフェースは、例えばSMPP又はCMIDとして知られるプロトコルに基づく、ショートメッセージセンター内の普通のTCP/IPインターフェースである。
【００１８】
さらに、無線ネットワークシステム100はまた、以下の機能を提供する：HLR/AUCデータベース104をOTAサーバー103を通して更新することができる；IVRサブシステムに属しているホットラインを作動させることができる；商業エージェント107が、OSSネットワーク110を通してOTAサーバー103にアクセスすることができる；及びSIMカード101上のアプリケーションが無線サービスをサポートすることができる。
【００１９】
図2は、SIMカード101を示している。SIMカード101は、プロセッサ202、及び、例えば初期IMSIコードのような販売前の初期情報を格納することのできるストレージ媒体203から構成される。プロセッサ202は、SIMカード101がモバイル端末に最初に取り付けられ、電源供給電圧を受け取るとき、SIMカードのプログラムを開始するのに使用される起動要素221を含む。起動要素221は、プロセッサ202に、商業エージェント107によって割り当てられたMSISDNを受け取らせる。SIMカードメッセージング要素222は、モバイル端末を介して、OTAサーバー103に、SIMカードの初期IMSIコード及びMSISDN番号を送る。ショートメッセージ解釈要素223は、OTAサーバー103からの特別なショートメッセージを処理する。特別なショートメッセージは、OTAサーバー103がSIMカードに割り当てた有効IMSIコードを含む。ショートメッセージ解釈要素223は、その特別なショートメッセージから有効IMSIコードを抜き出す。IMSIコード更新要素224は、ストレージ媒体203に格納される初期IMSIコードを、有効IMSIコードで置き換える。
【００２０】
SIMカード101のプロセッサ202はまた、再起動要素225を含む。再起動要素225は、SIMカード101のIMSIコードが上記で説明するように更新された後、モバイル端末を再起動させる。その目的のために、モバイル端末はシャットダウンされ、その後再起動されて、通常動作のためにSIMカード101がその中に収容されているモバイル端末を構成する。SIMカード101のメッセージング要素222は、モバイル端末を介してIVRサブシステム102を呼び出すのに使用される固定登録簿番号(FDN)要素(示されていない)を含む。IVRサブシステム102は、その呼び出しに自動的に応答し、SIMカード101のMSISDN番号を抜き出し、そのMSISDN番号をOTAサーバー103に送る。
【００２１】
SIMカード101のメッセージング要素222は、ショートメッセージをモバイル端末を介してSMSC要素105に送るショートメッセージ配信要素(示されていない)を含む。ショートメッセージは、初期IMSIコード及びMSISDN番号を含んでいる。SMSC要素105は、ショートメッセージをOTAサーバー103に配信する。
【００２２】
SIMカード101は、例えばアプリケーションプログラム、又はその他のプログラミングコードのような更なる要素から構成され得る。SIMカード101は、ショートメッセージの受信及び送信を処理する。さらに、SIMカード101は、そのSIMカード101に収められている一又はそれ以上のプロファイルを更新し、自動登録簿番号(ADN)と固定登録簿番号(FDN)の交換を取り扱うことができる。
【００２３】
図３は、OTAサーバー103を示している。OTAサーバー103は、カスタマイズされたSIMカード情報受信部分305から構成され、これは、SIMカードカスタマイゼーションセンター106からSIMカード101の初期情報を受け取る。この初期情報は、SIMカード101の初期IMSIコードを含む。OTAサーバー103は、商業エージェントのSIMカード情報受信部分306からさらに構成され、これは、商業エージェント10から販売されたSIMカードの情報を受け取る。販売されたSIMカードの情報は、MSISDN番号及び初期IMSIコードから構成される。OTAサーバーはさらに、HLR/AUCデータベース管理部分307から構成され、これは、HLR/AUCデータベース104内に有効なSIMカード情報を格納し、かつHLR/AUCデータベース104内の加入者111をアクティブな状態にする。OTAサーバー103は、加入者のSIMカード情報受信部分308からさらに構成され、これは、そこに販売されたSIMカード101が挿入されているモバイル端末からの、MSISDN番号及び初期IMSIコードを含むSIMカード情報を受け取る。OTAサーバー103は、IMSIコード割り当て部分309からさらに構成され、これは、加入者MSISDN番号に、関係地域に適切な有効IMSIコードを割り当て、加入者が位置しているHLRを割り当てる。有効IMSIコードが、SIMカード101内に最初に収められた初期IMSIコードと置き換わる。OTAサーバー103は、さらにショートメッセージ配信部分310から構成され、これは、有効IMSIコードを含む特別なショートメッセージを、SMSC要素105を通して加入者のモバイル端末に送る。
【００２４】
OTAサーバー103の加入者SIMカード情報受信部分308はまた、ショートメッセージ処理部分312及びIVR処理部分311を含む。ショートメッセージ処理部分312は、SMSC要素105から、SIMカード情報を含むショートメッセージを受け取り、MSISDN番号を抜き出す。IVR処理部分311は、IVRサブシステム102から加入者のMSISDN番号を受け取る。
【００２５】
OTAサーバー103は、さらにリモートSIMカード管理(示されていない)のためのモジュールから構成され、これは以下、GSMファイルマネージャー(GFM)と呼ぶ。GFMは、登録簿データ(ADN,FDN,サービス登録簿番号(SDN),言語選択,SMSC(ショートメッセージサービスセンター)に関連する情報,加入者MSISDN番号,及びIMSIコード)、及び個人識別番号(PIN)、という情報を管理することができる。OTAサーバー103は、以下の機能を実装する。
●GUIを通してのSIMカード101の初期化
●例えば、幾つかのSIMカード製造所間での非公表な取り決めの形で、かつSIMカード管理における標準GSM03.48v8と互換性のあるSIMプログラム管理
●様々なSIMカードの販売代理店とのインターフェース
●GSM03.48v8準拠の送信レイヤーセキュリティ
●GUI監視を用いて、リクエスト状態の状態をトラックできる能力
●ショートメッセージエラー管理
●システム管理及びシステム監視能力
●高可用性管理
●復元力
【００２６】
図４は、本発明に従った無線SIMカード起動の方法を示している。ステップ404では、SIMカードカスタマイゼーションセンター106がSIMカード101をカスタマイズし、かつカスタマイズされたSIMカード101を商業エージェント107に割り当てる。さらに、SIMカードカスタマイゼーションセンター106は、SIMカード101の初期情報をOTAサーバー103に配信する。初期情報は、SIMカード101に一時的に割り当てられる初期IMSIコード、及び内蔵型回路のカード識別子(ICCID)コードから構成される。ステップ406では、商業エージェント107は、SIMカード101を加入者111に販売し、そのSIMカード101にMSISDN番号を割り当てる。ステップ408では、商業エージェント107は、SIMカード情報をOTAサーバー103に配信する。このSIMカード情報は、初期IMSIコード、ICCIDコード、及びMSISDN番号から構成される。OTAサーバー103は、この情報をそのデータベース内に格納する。
【００２７】
次にステップ410では、OTAサーバー103をHLR/AUCデータベース104と同期させる。すなわち、OTAサーバー103のデータベース内に収容されているSIMカード情報が、HLR/AUCデータベース104内にコピーされる。この手法では、OTAサーバー103が、HLR/AUCデータベース104内の加入者111をアクティブな状態にする。ステップ412では、加入者111は、その番号がFDN内に収められているIVRサブシステム102を呼び出す。ステップ414では、IVRサブシステム102は、自動的にこの呼び出しに応答し、さらにこの呼び出しからMSISDN番号を取り出し、かつそのMSISDN番号をOTAサーバー103に配信する。ステップ416では、OTAサーバー103は、加入者111に有効IMSIコードを割り当て、それに応じて、HLR/AUCデータベース104内の加入者111のレコードを更新する。さらにステップ418では、OTAサーバー103は、適切な定められたフォーマットで、SMSC要素105に特別なショートメッセージを送る。特別なショートメッセージは、加入者111の有効IMSIコードを含んでいる。
【００２８】
次にステップ420では、SMSC要素105は、その中に有効IMSIコードが含まれている特別なショートメッセージを加入者111に送る。ステップ422では、加入者111が、その特別なショートメッセージをうまく受け取る。SIMカード101内に収容されているIMSI更新要素224は、初期IMSIコードを有効IMSIコードで置き換え、固定番号登録簿(FDN)を自動番号登録簿(ADN)に変更する。さらに、IMSI更新要素224は、有効キーKiをSIMカード101に割り当て、次に端末をシャットダウンする。このシステム設定は、端末に再び電源が入るとき完成する。
【００２９】
図5は、無線SIMカード起動のもう1つの方法を示している。この方法は、ショートメッセージサービスを使用する。ステップ504では、SIMカスタマイゼーションセンター106がSIMカード101をカスタマイズし、そのカスタマイズされたSIMカード101を商業エージェント107に割り当て、かつSIMカード101の初期情報をOTAサーバー103に配信する。この初期情報は、初期IMSIコード、及びSIMカード101に一時的に割り当てられたICCIDコードから構成される。ステップ506では、商業エージェント107は、加入者111にSIMカード101を販売し、そのSIMカード101にMSISDN番号を割り当てる。ステップ508では、商業エージェント107が、初期IMSIコード、ICCIDコード、及びMSISDN番号から構成されるSIMカード情報を、OTAサーバー103に配信する。OTAサーバー103は、そのデータベース内にこの情報を格納する。
【００３０】
次にステップ510では、図4を参照して上記で説明するステップ410と同様な手法で、OTAサーバー103をHLR/AUCデータベース104と同期させる。ステップ512では、加入者111が、SIMカード101がその中に収容されているモバイル端末の電源を入れる。そうすることにより、加入者111は、ショートメッセージをSMSC要素105に所定のフォーマットで自動的に送る。ステップ514では、SMSC要素105は、このショートメッセージをOTAサーバー103に転送する。ステップ516では、OTAサーバー103は、そのショートメッセージからMSISDN番号を抜き出し、加入者111に有効IMSIコードを割り当てる。さらに、OTAサーバー103は、HLR/AUCデータベース104内の加入者111のレコードを更新する。ステップ518では、OTAサーバー103が、SMSC要素105に特別なショートメッセージを所定のフォーマットで送る。この特別なショートメッセージは、加入者111の有効IMSIコードを含んでいる。
【００３１】
次に、ステップ520では、SMSC要素105は、有効IMSIコードを持つ特別なショートメッセージを加入者111に送る。ステップ522では、加入者111がうまくそのショートメッセージを受け取る。SIMカード101に収容されるIMSI更新要素224は、初期IMSIコードを有効IMSIコードで置き換え、SIMカード101に有効キーKiを割り当て、次にそのモバイル端末をシャットダウンする。モバイル端末に電源が入るとき、そのシステム設定が完成する。
【００３２】
上記で説明するように、呼び出しを出すこと、又はショートメッセージを送ることは、新しいSIMカードを作動させることができる。販売代理店108がこの過程に加わる必要はない。しかしながら、図6及び図7を参照して以下で説明するように、本発明はまた、販売代理店108が参加できる過程も提供する。
【００３３】
図6は、販売代理店108が参加する無線SIMカード起動の方法を示している。その方法は、呼び出しを出すことに基づいている。ステップ602では、SIMカードカスタマイゼーションセンター106は、SIMカード101をカスタマイズし、そのカスタマイズされたSIMカード101を販売代理店108に割り当て、そのSIMカード101の初期情報をOTAサーバー103に配信する。初期情報は、そのSIMカード101に一時的に割り当てられる初期IMSIコード、及びICCIDコードから構成される。ステップ604では、販売代理店108が、加入者111にSIMカード101を販売し、MSISDN番号をSIMカード101に割り当てる。ステップ606では、販売代理店108が、SIMカード情報を商業エージェント107に転送する。ステップ608では、商業エージェント107が、SIMカード情報をOTAサーバー103に配信する。SIMカード情報は、初期IMSIコード、ICCIDコード、及びMSISDN番号から構成される。OTAサーバー103は、この情報をそのデータベース内に格納する。
【００３４】
次にステップ610では、図4を参照して上記で説明したステップ410と同様な手法で、OTAサーバー103をHLR/AUCと同期させる。ステップ612では、FDNを使用して、加入者111はIVRサブシステム102を呼び出す。ステップ614では、IVRサブシステム102が、この呼び出しに自動的に応答する。さらに、IVRサブシステム102は、その呼び出しからMSISDN番号を抜き出し、このMSISDN番号をOTAサーバー103に配信する。ステップ616では、OTAサーバー103が、有効IMSIコードを加入者111に割り当てる。さらに、OTAサーバー103は、HLR/AUCデータベース104内の加入者111のレコードを更新する。ステップ618では、OTAサーバー103が、所定のフォーマットで特別なショートメッセージをSMSC要素105に送る。この特別なショートメッセージは、加入者111の有効IMSIコードを含む。
【００３５】
次にステップ620では、SMSCサブシステム105が、有効IMSIコードを持つ特別なショートメッセージを加入者111に送る。ステップ622では、加入者111がうまくそのショートメッセージを受け取る。SIMカード101内に収容されるIMSI更新要素224は、初期IMSIコードを有効IMSIコードで置き換え、FDNをADNに変更する。さらに、IMSI更新要素224は、有効キーKiをSIMカード101に割り当て、続いて、そのモバイル端末をシャットダウンする。モバイル端末に再び電源が入るとき、そのシステム設定は完成する。
【００３６】
図7は、販売代理店108が参加する無線SIMカード起動のもう１つの方法を示す。この方法は、ショートメッセージサービスの使用に基づいている。ステップ702では、SIMカードカスタマイゼーションセンター106がSIMカード101をカスタマイズし、そのカスタマイズされたSIMカード101を販売代理店108に割り当てる。SIMカードカスタマイゼーションセンター106は、SIMカード101の初期情報をOTAサーバー103に配信する。初期情報は、そのSIMカード101に一時的に割り当てられる初期IMSIコード、及びICCIDコードから構成される。ステップ704では、販売代理店108は、MSISDN番号をSIMカード101に割り当てる。ステップ706では、販売代理店108は、SIMカード情報をOTAサーバー103に配信する。SIMカード情報は、初期IMSIコード、ICCIDコード、及びMSISDN番号から構成される。ステップ708では、OTAサーバー103が、この情報をそのデータベース内に格納する。
【００３７】
次にステップ710では、図4を参照して上記で説明したステップ410と同様な手法で、OTAサーバー103をHLR/AUCデータベース104と同期させる。ステップ712では、加入者111が、SIMカードがその中に収容されているモバイル端末の電源を入れ、これは、所定のフォーマットでショートメッセージをSMSC要素105に自動的に送る。ステップ714では、SMSC要素105が、OTAサーバー103にショートメッセージを転送する。ステップ716では、OTAサーバー103が、そのショートメッセージからMSISDN番号を抜き出し、有効IMSIコードを加入者111に割り当て、HLR/AUCデータベース104内の加入者111のレコードを更新する。ステップ718では、OTAサーバー103が、所定のフォーマットで特別なショートメッセージをSMSC要素105に送る。その特別なショートメッセージは、加入者111の有効IMSIコードを含む。
【００３８】
次にステップ720では、SMSCサブシステム105は、新しいIMSIコードを持つ特別なショートメッセージを加入者111に送る。ステップ722では、加入者111がうまくそのショートメッセージを受け取る。SIMカード101内に収容されるIMSI更新要素224は、初期IMSIコードを有効IMSIコードで置き換える。さらに、IMSI更新要素224は、そのSIMカード101に有効キーKiを割り当て、続いて、モバイル端末の電源を切る。再びモバイル端末に電源が入るとき、このシステム設定が完成する。
【００３９】
一方では図4及び5で示す方法と、他方では図6及び7を参照して説明する方法との差異は、実質的には最初の2つのステップにある。図6及び7で示す方法では、SIMカードカスタマイゼーションセンター106が、SIMカード101に販売代理店108を割り当て、続いて、販売代理店108がSIMカード101を加入者111に販売し、対応するSIMカード情報を商業エージェント107に配信する。
【００４０】
上記説明は、多くの有利な点を提供する様々な無線SIMカード起動の方法を示している。それは、利用可能なSIMカードのIMSIコードについてのHLR地域配信の制限を緩和する。その結果として、それは、商業エージェント又は販売代理店がSIMカードの在庫を減らすことを可能にし、これは資金の動きの面で経済的利点を提供する。それはまた、加入者がより便利かつ容易なやり方でSIMカードを購入することを可能にする。
【００４１】
上記説明はまた、以下の特徴を示している。識別モジュール(SIM101)は、次の手法で起動される。カスタマイゼーションセンター(106)は、識別モジュール(101)内に初期識別コード(IMSI)を格納し、その初期識別コードをネットワーク管理システム(103,104)に伝達する。配信器(107,108)は、通信アドレス(MSISDN)を識別モジュール(101)に割り当て、初期識別コードと共にその通信アドレスを、ネットワーク管理システム(103,104)に伝達する。識別モジュール(101)は、通信デバイス(モバイル電話)を介してネットワーク管理システム(103,104)と交信し、これによりネットワーク管理システム(103,104)は、通信アドレスと共に初期識別コードを受け取る。ネットワーク管理システム(103,104)は、通信アドレスと共に初期識別コードを認識し、応答としてその識別モジュール(101)に有効識別コードを割り当てる。続いて、ネットワーク管理システム(103,104)は、メッセージを通信デバイス(モバイル電話)に送る。このメッセージ(特別なSMS)は、有効識別コードから構成される。識別モジュール(101)は、その通信デバイスを介してメッセージを受け取り、そのメッセージから有効識別コードを抜き出し、今後の使用のためにその有効識別コードを格納する。
【００４２】
図面及び上記のそれらの説明は、本発明を限定するのではなく示している。多数の代案が存在し、それらが本特許請求の範囲の技術的範囲内に入ることは明らかであろう。この点で、以下の結びのコメントをする。
【００４３】
モバイル通信ネットワークに関しての例を介して、詳細に、本発明を説明した。しかしながら、上記で概要を述べた特徴は、例えばローカルエリアネットワーク(LAN)のような多数の他の形式のネットワークで、同様に実装することができる。
【００４４】
ハードウェア又はソフトウェア、あるいは双方の製品で、機能を実装する多数の方法が存在する。この点で、本図面は非常に概略的であり、その各々は、本発明のたった1つの可能な実施形態を表している。従って、図面は、異なるブロックとして異なる機能を示すが、これは決して、ハードウェア又はソフトウェアの1つの製品が幾つかの機能を実行することを除外しない。それはまた、ハードウェア又はソフトウェア、あるいは双方の製品の集合がある機能を実行することも排除しない。
【００４５】
請求項の如何なる参照記号も、その請求項を限定するように解釈すべきではない。「備える」という言葉は、請求項で列挙されるもの以外の要素又はステップの存在を排除しない。要素又はステップの直前の「a」又は「an」という語は、そのような要素又はステップの複数の存在を排除しない。
【図面の簡単な説明】
【００４６】
【図１】無線SIMカードを可能にする無線ネットワークシステムを示している。
【図２】SIMカードの構造ブロックを示している。
【図３】無線SIMカード起動を可能にするOTAサーバーの更なる構成を示している。
【図４】商業エージェントの観点での呼び出しによる無線SIMカード起動を可能にする方法を示している。
【図５】商業エージェントの観点でのショートメッセージを送ることによる無線SIMカード起動を可能にする方法を示している。
【図６】販売代理店が参加する場合の、呼び出しによる無線SIMカード起動を可能にする方法を示している。
【図７】販売代理店が参加する場合の、ショートメッセージを送ることによる無線SIMカード起動を可能にする方法を示している。
【図１】
2005520422.tif 000003
【図２】
2005520422.tif 000004
【図３】
2005520422.tif 000005
【図４】
2005520422.tif 000006
【図５】
2005520422.tif 000007
【図６】
2005520422.tif 000008
【国際調査報告】
2005520422.tif 000009
2005520422.tif 000010
2005520422.tif 000011